(57)【要約】【課題】これまでにも存在した何気ない空間や場所をそのままイベント提供エリアにする。【解決手段】人とシステムとの接点であるパスゲート３を起点とするイベント提供方法であり、ネットワークサービスシステム１はパスゲート３を通過した参加者２の持つ端末５に目的地と課題を与える。さらに、公共交通機関の持つパスゲート３を活用すれば、公共交通機関が参加者２の移動手段として活用できるだけでなく、その沿線地域をそのままイベント提供エリアにすることが出来る。また、目的地先におけるイベント協力者７に参加者２がこなす課題クリアの判定する役割を与えることによって、地域社会とのコミュニケーションを促進できる効果も期待できる。さらに、イベント提供するエリアを定めて、参加者２がエリア外に出た、または出ようとしていることを参加者端末５および関係者端末４４に通知することによって、このイベント提供エリアが関係者４３の目が届いて、かつ参加者２が自由にイベントを楽しめる場所とする。【選択図】　図１
2004029858.tif 000002
【特許請求の範囲】
【請求項１】
参加者端末を有するイベント参加者に、この参加者端末を介して情報を配信するイベント提供システムであって、
目的地に関する情報とその目的地における課題に関する情報から成るイベント情報を記憶するイベント情報データベースと、
パスゲートから前記参加者の通過を示す検知信号を受信する検知信号受信手段と、
前記検知信号受信手段によって受信した前記検知信号に基づき、前記イベント情報データベースから前記目的地に関する情報と前記課題に関する情報を取得するイベント情報取得手段と、
前記イベント情報取得手段が取得したイベント情報の前記目的地に関する情報と前記課題に関する情報を同時に、または前記目的地に関する情報の次に前記課題に関する情報という順番で前記参加者端末に送信する情報送信手段と
を有することを特徴とするイベント提供システム。
【請求項２】
前記課題に対する回答を前記参加者から受信する回答受信手段を有し、
前記目的地として指定されるのは、目的地に設置されたパスゲートである目的地先パスゲートであって、
前記イベント情報取得手段は、前記検知信号受信手段が前記参加者の通過を前記目的地先パスゲートから受信し、さらに前記回答受信手段が前記参加者から前記課題に対する回答を受信した場合に新たな前記イベント情報を前記イベント情報データベースから取得することを特徴とする請求項１に記載のイベント提供システム。
【請求項３】
前記パスゲートには移動手段の利用開始もしくは利用終了を示すパスゲートを含むことを特徴とする請求項１または２に記載のイベント提供システム。
【請求項４】
請求項１〜３のいずれかに記載のイベント提供システムより送信される前記イベント情報を受信する参加者端末。
【請求項５】
参加者端末を有するイベント参加者に、この参加者端末を介して情報を配信するイベント提供方法であって、
目的地に関する情報とその目的地における課題に関する情報から成るイベント情報をイベント情報データベースに記憶し、
パスゲートから前記参加者の通過を示す検知信号を検知信号受信手段に受信すると、
前記検知信号受信手段によって受信した前記検知信号に基づき、前記目的地に関する情報と前記課題に関する情報を前記イベント情報データベースから取得して、前記参加者端末に送信することを特徴とするイベント提供方法。
【請求項６】
前記目的地に設置されたパスゲートである目的地先パスゲートを前記目的地に指定することを特徴とする請求項５記載のイベント提供方法。
【請求項７】
前記参加者の通過を前記目的地に指定した前記目的地先パスゲートから受信し、さらに前記参加者から送信した前記課題に関する回答を受信した場合に、新たな前記イベント情報を前記イベント情報データベースから取得することを特徴とする請求項６記載のイベント提供方法。
【請求項８】
前記パスゲートには移動手段の利用開始または利用終了を示すパスゲートを含むことを特徴とする請求項５〜７のいずれかに記載のイベント提供方法。
【請求項９】
前記移動手段の利用開始を示す前記パスゲートから前記参加者の通過を検知した場合には、前記目的地に関する情報を前記参加者端末に送信し、
前記移動手段の利用終了を示す前記パスゲートから前記参加者の通過を検知した場合には、前記目的地における課題に関する情報を前記参加者端末に送信することを特徴とする請求項８に記載のイベント提供方法。
【請求項１０】
前記目的地のイベント協力者に、前記課題に関する情報、その課題クリアに対する条件およびその課題のクリアを示す情報を組にして出力し、
前記協力者にそれらの情報を出力する際には、前記参加者が前記課題クリアに対する条件を満たした場合にのみ、前記課題のクリアを示す情報を前記参加者に教えるように指示を付与して出力することを特徴とする請求項５〜９のいずれかに記載のイベント提供方法。
【請求項１１】
参加者端末を有するイベント参加者と、同様に端末を有するイベント参加者に関係する関係者のそれぞれに、この端末を介して情報を配信するイベント提供方法であって、
目的地に関する情報とその目的地における課題に関する情報から成るイベント情報をイベント情報データベースに記憶し、
パスゲートから前記参加者の通過を示す検知信号を検知信号受信手段に受信すると、
前記検知信号受信手段によって受信した前記検知信号に基づき、前記目的地に関する情報と前記課題に関する情報を前記イベント情報データベースから取得して、前記参加者端末に送信するとともに、前記関係者端末にイベントの経過に関する情報を送信することを特徴とするイベント提供方法。
【請求項１２】
イベント提供する範囲があらかじめ定めてある場合には、前記参加者がそのイベント提供範囲内か否かを前記検知信号受信手段に受信する前記パスゲートからの前記参加者の通過を示す検知信号から判定し、
前記参加者がイベント提供範囲外に出た、または出ようとしていると判定した場合には、前記参加者端末にその旨を通知するとともに、前記関係者端末にもその旨を通知することを特徴とする請求項１１に記載のイベント提供方法。
【発明の詳細な説明】
【０００１】
【発明の属する技術分野】
本発明は、イベント提供、特にパスゲートを通過した参加者を対象とするイベント提供システム及び方法に関する。
【０００２】
【従来の技術】
目的地までの移動を課題として与える先行技術として、特開１９９９−２２６２４７号公報が挙げられる。この先行技術では、目的地は表示画面に表示されるゲームフィールドをプレイヤが操作する移動体（ゲーム対象）が目的地に移動するまでの時間をプレイヤに競わせるものである。プレイヤ自らはゲーム機に備え付けの座席に座りながらゲームを楽しむものであり、プレイヤの自主的な行動によって目的地まで移動させるものではない。
【０００３】
また、利用者が自ら移動中の間にイベントを提供する先行技術として、特開２００１−１５３６６４号公報が挙げられる。この先行技術では、利用者自らが設定した目的地に対する誘導経路に沿って車両を誘導する際に、誘導経路沿いの物件に対してクイズがデータベースにある場合には、そのクイズを利用者に提供するものである。目的地は利用者自らが設定したものであり、イベントによって目的地が与えられるものではない。
【０００４】
【発明が解決しようとする課題】
人は物的にほぼ十分満たされており、新たな物的欲求が起こりにくい世の中となっている。その反面、精神的には満たされているとは言えないが貪欲に求めるほどでもないという矛盾を抱えており、何かが欲しいわけではないが満たされているとは思えないと感じていながら、その満たされない何かのために、わざわざ何かの行動を起こす気にはなれないとも感じているという問題点があった。
【０００５】
このごろ、よく若年層を中心に使われる「かったるい」という言葉がある。これは何もする気にならないと言った行動のエネルギがない状態ではなく、今やりたいことが自分では見つからない状態のことである。内にエネルギをため込んでしまっている状態であると分析する人もいる。
【０００６】
つまり、自ら行動するきっかけを与えることが大切であり、そのきっかけを負担感なく与えると、自発的に行動を継続するところがある。
【０００７】
きっかけはなぜ「負担感なく」なのであろうか。人は生来、何かの行動に移す（つまり腰を上げる）までに多大のエネルギを要するものであり、一度行動の実行がなされればその次の行動には比較的、気楽に移されるものである。これは腰を上げるときに「よっこらせ」などの掛け声を自らに掛けるような行為はよくあっても、自らの行動を変えるときに掛け声は特に掛けないようなところにも自然に表れている。
【０００８】
一方で長引く不況の中、消費者が多く集まるように地域の活性化を模索して自助努力を続けている小売業、サービス業も多い。例えば地域商店街で催し物を企画・実行している。地域商店街を実際に訪れてみると、５分で買い物を済ますためのスーパマーケットのような効率を追求しすぎていないところに味わいがあり、毎日訪れるわけにはいかなくとも週に１度はゆったりと買い物をしてみたい気分にさせられるようでもある。ここでも訪れるためのきっかけを与えることが大切であり、一度でも足を運んで、その雰囲気だけでも感じてもらえれば、次の機会へとつながっていく。
【０００９】
人を動かすことは難しい。これは、展示会（イベント会場）にも共通する課題であった。広い展示会の会場で、展示ブースを見てまわる入場者はくまなく歩くことも、出展内容を充分理解するまで見学してくれることもまずない。と言うのは、会場内に目立つブースと目立たないブースが必然的にあることによって、誘導される人の流れに偏りが必然的にあることに加えて、人の気持ちをつかむためのきっかけづくりが難しいことも一因になっている。これは、展示員をしてみるとすぐにわかることだが、自らのブースの前に人が来たとしても、ほとんどの人が何気なく眺めているだけで、こちらが話し掛けるとスッと立ち去ってしまい、会話にすらならないことも多い。なす術（ずべ）がないとはまさにこのことで、きっかけの大切さを実感させられてしまうときでもある。
【００１０】
また、米国では街を子供だけで歩いているのをあまり見かけない。土地が広く歩いていると日が暮れてしまうこともあるかもしれないが、街が子供だけでいて安全ではないのではないかという心配が大人側にあるからとも言われている。とは言っても、遊びたい盛りの子供を常に目の届く範囲に留めておくことも至難の業であった。これは日本でも同じことであり、買い物につれて行くにしてもちょっと目を離すと迷子にもなりかねなかった。
【００１１】
【課題を解決するための手段】
本発明の本質は、人とシステムとの接点であるパスゲートを起点とするイベント提供方法であり、パスゲートを通過した参加者（イベント参加者）の持つ端末に目的地と課題を与えるとイベントになることに着目したものである。これまでにも身近に存在したパスゲートを活用して、これまでにも存在した何気ない空間や場所をそのままイベント提供エリアにしてしまうことである。
【００１２】
本発明は、目的地に関する情報とその目的地における課題に関する情報から成るイベント情報をイベント情報データベースに記憶し、パスゲートから前記参加者の通過を示す検知信号を検知信号受信手段に受信すると、前記検知信号受信手段によって受信した前記検知信号に基づき、前記目的地に関する情報と前記課題に関する情報を前記イベント情報データベースから取得して、前記参加者端末に送信するようにした。
【００１３】
目的地に関する情報と課題に関する情報は取得と同時に参加者端末に送信してもよいし、目的地に関する情報の次に課題に関する情報の順で送信してもよい。
【００１４】
元々人は好奇心旺盛な特徴を持っているのだが、その好奇心を自ら行動に結びつける動機に乏しい社会環境になりつつあり、一度行動の実行がなされればその次の行動には比較的、気楽に移されるが、腰を上げるまでの多大なエネルギに相当する貪欲な欲求自体が失われていると言える。ただし、何もする気にならないと言った行動のエネルギがない状態ではないので、何もしないその状態を肯定するような、安易な癒しは内にエネルギを逆効果になる場合がある。
【００１５】
つまり、些細なきっかけでもよいので自ら行動させることが大切であり、腰を上がるための負担感がなければ次々と自発的に行動を実行する。そのために「わざわざ」ではなく、「何かの行動のついでにちょっと」であれば、腰をあげやすくなる。イベントとして目的地と課題を与えることは、このちょっとしたきっかけに相当し、わざわざイベントを提供する場所に赴かせるのではなく、例えば参加者の有する端末のアドレスをシステムに登録するだけで、たまたま訪れた場所までもイベント提供エリアにすることが出来る。
【００１６】
ここで言うところのパスゲートとは、人とシステムの接点であり、例えば参加者を検知、または参加者検知媒体や参加者端末を検知して、その検知情報をシステムに送信する。パスゲートの具体例としては、まず建物や屋外に設置されるカードゲートや参加者が踏む場所の上面に設置される媒体読み取り装置などが挙げられる。また、公共交通機関駅の構内などに設置される自動改札などの街のインフラ（産業基盤である社会資本のことであり、生活関連の社会資本を含む）として設置されたものや、公共交通機関の移動体の乗降車口や、参加者が自ら運転する（もしくは同乗する）乗用車などを駐車する駐車場ゲートなどがある。つまり、パスゲートとしては参加者の検知ができれば、その手段を問わない。
【００１７】
なお、イベント情報をすべてシステム側であらかじめ用意してもよいが、イベント作成者が端末を用いてシステムにアクセスし、例えばシステムの提供するテンプレートなどを用いてコンテンツを作成してもよく、こうすることで本発明におけるシステムはイベント作成支援ツールの役割も果たすことが出来る。
【００１８】
また、前記目的地に設置されたパスゲートである目的地先パスゲートを前記目的地に指定してもよい。こうすることで、パスゲートを参加者がたどりながら課題をこなすイベントに出来る。
【００１９】
また、前記参加者の通過を前記目的地に指定した前記目的地先パスゲートから受信し、さらに前記参加者から送信した前記課題に関する回答を受信した場合に、新たな前記イベント情報を前記イベント情報データベースから取得してもよい。
【００２０】
これは、あらかじめ定める基準条件を満たした場合に、次のイベント情報（目的地と課題）を与えることを意味し、先が見えないことが逆に謎めいたものを元々好む、人の好奇心をくすぐることが出来る。
【００２１】
また、前記パスゲートには移動手段の利用開始または利用終了を示すパスゲートを含んでもよい。
【００２２】
人が移動手段を使うときは、どこかに自らの意思で移動しようとしているときでもあり、腰があがった状態と同じであると見立てることが出来るので、この腰の上がった状態にイベントを与えることで次の行動のきっかけとしやすくなる。ここで言うところの移動手段とは、例えば電車やバスなどの公共交通機関や参加者自らが運転する乗用車および同乗者として乗車する車などのことである。パスゲートとしての機能が設定できるものであれば、その種類は問わない。
【００２３】
さらに、公共交通機関を参加者の移動手段に活用することは、公共交通機関が持つインフラをイベント提供に活用できるだけでなく、公共交通機関の沿線地域をそのままイベント提供エリアにしてしまうことが出来る。つまり、沿線地域をそのままイベント提供エリアにすることによって、公共交通機関が沿線の地域社会と連携することが出来る。
【００２４】
その沿線地域は、複数の公共交通機関を組み合わせて構成してもよい。こうすることで、さらに広く、さらに密に地域社会と連携してイベントを提供できる。また、例えば一日限りなどの期間限定乗車券（複数の公共交通機関を用いる場合には、共通乗車券）をイベント用に発行し、期間限定の沿線フェアなどのイベントとすることが出来る。
【００２５】
また、前記移動手段の利用開始を示す前記パスゲートから前記参加者の通過を検知した場合には、前記目的地に関する情報を前記参加者端末に送信し、前記移動手段の利用終了を示す前記パスゲートから前記参加者の通過を検知した場合には、前記目的地における課題に関する情報を前記参加者端末に送信するようにしてもよい。こうすることで、移動手段には目的地までの到着時間が必然的にかかるので、移動手段の利用開始時には目的地だけを指定し、利用終了してから課題を与えるイベントとすることが出来る。また、いかに速く目的地まで行って、いかに速く課題をこなすかを競うイベントにも出来る。
【００２６】
また、前記目的地の協力者（イベント協力者）に、前記課題に関する情報、その課題クリアに対する条件およびその課題のクリアを示す情報を組にして出力し、前記協力者にそれらの情報を出力する際には、前記参加者が前記課題クリアに対する条件を満たした場合にのみ、前記課題のクリアを示す情報を前記参加者に教えるように指示を付与して出力してもよい。
【００２７】
目的地先におけるイベント協力者の役割は、参加者が課題のクリアに関して協力者とのコミュニケーションを促すのに役立つという効果が期待できる。親しみやすい地域づくりにはこのようなコミュニケーションが欠かせないものであり、そのきっかけづくりに貢献できる。例えば地域商店街では、イベント情報によって商店街に誘導された参加者と商店街の人々との交流のきっかけとなる。
【００２８】
また、同様に例えば展示会（イベント会場）では、イベント情報によって通路やブースに誘導された参加者から出展側の展示説明員へと話し掛けるきっかけとなる。
【００２９】
また、前記検知信号受信手段によって受信した前記検知信号に基づき、前記目的地に関する情報と前記課題に関する情報を前記イベント情報データベースから取得して、前記参加者端末に送信するとともに、前記関係者端末にイベントの経過に関する情報を送信してもよい。
【００３０】
また、イベント提供する範囲があらかじめ定めてある場合には、前記参加者がそのイベント提供範囲内か否かを前記検知信号受信手段に受信する前記パスゲートからの前記参加者の通過を示す検知信号から判定し、前記参加者がイベント提供範囲外に出た、または出ようとしていると判定した場合には、前記参加者端末にその旨を通知するとともに、前記関係者端末にもその旨を通知してもよい。
【００３１】
こうすることで、参加者をシステムがあらかじめ設定したイベント提供エリアに定着させることが出来る。なお、関係者の有する端末である関係者の端末アドレスは、参加者の端末アドレスと同様の方法で取得するとよい。
【００３２】
また、イベントを提供するエリアをあらかじめ定め、参加者がそのエリア外に出た、または出ようとしていることがパスゲートからの情報で検知した場合には、参加者端末へその旨を通知してもよい。こうすることで、例えばショッピングモールなどの既存の空間をイベント提供範囲にした場合、このイベント提供エリアが関係者の目の届いて、かつ参加者が自由にイベントを楽しめる場所とすることが出来る。
【００３３】
【発明の実施の形態】
以下に、本発明に係るイベント提供システムの具体的実施の形態を図面を参照して詳細に説明する。
【００３４】
図１は、本発明のコンセプトを説明するブロック図である。
【００３５】
同図において、ネットワークサービスシステム１はパスゲート３を通過したイベント参加者２を検知し、検知した参加者２に対して目的地に関する情報とその目的地での課題に関する情報をイベント情報としてイベント情報ＤＢ（データベース）４から取得して、参加者２の持つ参加者端末５に送信する。パスゲート３を通過した参加者２の持つ参加者端末５に目的地とその目的地での課題を与えることで、参加者２に自ら行動するきっかけを与える、地域のインフラであるパスゲートを活用したイベント提供システムである。目的地に関する情報と課題に関する情報は、参加者端末５に対して同時に送信しても、目的地に関する情報の次に課題に関する情報の順で送信してもよい。
【００３６】
図２は、本発明のコンセプトを説明するブロック図である。
【００３７】
同図において、ネットワークサービスシステム１からイベント情報として目的地に関する情報とその目的地での課題に関する情報を参加者端末５に受信した参加者２は、受け取った目的地に赴いて与えられた課題をこなし、その課題に対する回答を参加者端末５または目的地先の端末６を介してネットワークサービスシステム１に送信する。ネットワークサービスシステム１は参加者２があらかじめ定める条件を満たした（課題をクリアした）場合に、次のイベント情報を参加者端末５に与える。
【００３８】
図３は、本発明のコンセプトを説明するブロック図である。
【００３９】
同図において、ネットワークサービスシステム１は目的地先でのイベント実行の協力者７に対して、その目的地先で参加者２に課せられる課題に対する正解情報と、課題のクリアを示す情報をあらかじめ提供する。これらの情報をネットワークサービスシステム１から協力者７に出力する際には「参加者２から聞いた回答が正解だった場合にのみ、この課題のクリアを示す情報を教えるように」などという依頼的な指示を与えておくとよい。参加者２の回答が見事正解だった場合には協力者７から課題のクリアを示す情報を与えられ、参加者２はこの課題のクリアを示す情報を（課題に対する回答の替わりに）参加者端末５または目的地先の端末６を介してネットワークサービスシステム１に送信する。
【００４０】
目的地先の協力者７にネットワークサービスシステム１からあらかじめ提供される情報は、協力者７が端末を持つ場合にはその端末に送信され、持たない場合には例えば紙などの印刷媒体として出力されるとよい。ここで言うところの課題のクリアを示す情報とは、例えば英数字などの組み合わせであるパスワードや、一見、何の意味をも持たないようなキーワードのことである。
【００４１】
図４は、本発明のコンセプトを説明するブロック図である。
【００４２】
同図は、図３がネットワークサービスシステム１から与えられた課題に参加者２が回答する場合についてであるのに対して、課題クリアの判定が人の判断に委ねられるような内容やシステム的に回答情報の取得が困難な場合についてである。
【００４３】
つまり、協力者７の存在は、ネットワークサービスシステム１から与えられた課題に対して回答する形式のものだけでなく、人の判断に委ねられるような内容やシステム的に情報の取得が困難な場合のイベント進行上で特に有効である。人の判断に委ねられるような内容の課題とは、例えば人を笑わせられるかとか、言ったことが面白かったかなどである。システム的に情報の取得が困難な場合の課題とは、例えば出された食べ物を完食したなどの行為や、腕立て伏せ１０回などの運動はシステム的に情報を取得するより、人が直接見て確認する方が容易である場合のことである。
【００４４】
また、目的地先におけるイベント協力者７の役割は、参加者２が課題のクリアに関して協力者７とのコミュニケーションを促すのに役立つという効果が期待できる。親しみやすい地域づくりにはこのようなコミュニケーションが欠かせないものであり、そのきっかけづくりに貢献できる。
【００４５】
同図において、ネットワークサービスシステム１は目的地先でのイベント実行の協力者７に対して、その目的地先で参加者２に提供される課題および課題クリアに関する情報と、課題のクリアを示す情報をあらかじめ提供する。これらの情報をネットワークサービスシステム１から協力者７に出力する際には、図３と同様に「参加者２が与えた課題に対してあらかじめ定める基準を満たした場合にのみ、この課題のクリアを示す情報を教えるように」などという依頼的な指示を与えておくとよい。
【００４６】
参加者２がその課題を見事クリアした場合には協力者７から課題のクリアを示す情報を与えられ、参加者２はこの課題のクリアを示す情報を（課題に対する回答の替わりに）参加者端末５または目的地先の端末６を介してネットワークサービスシステム１に送信する。
【００４７】
図５は、本発明のコンセプトを説明するブロック図である。
【００４８】
同図は図１に対応して、参加者２が目的地までの移動に移動手段を用いる場合である。ここで言うところの移動手段とは、例えば電車やバスなどの公共交通機関や参加者自らが運転する乗用車および同乗者として乗車する車などのことである。同図において、ネットワークサービスシステム１は移動手段の利用開始を示すパスゲート３を通過したイベント参加者２を検知し、検知した参加者２に対して目的地に関する情報と課題に関する情報をイベント情報としてイベント情報ＤＢ４から取得して、参加者２の持つ参加者端末５に送信する。公共交通機関が持つパスゲート３をイベント提供に用いることは、地域が保有するインフラの活用に相当する。
【００４９】
図６は、本発明のコンセプトを説明するブロック図である。
【００５０】
同図において、移動手段には利用開始を示すパスゲート３−１と利用終了を示すパスゲート３−２が必然的に存在するので、それぞれの役割を利用して、移動手段の利用開始を示すパスゲート３−１から参加者２の通過を検知した場合には、目的地に関する情報を参加者端末５に送信し、利用終了を示すパスゲート３−２から参加者２の通過を検知した場合には、目的地における課題に関する情報を参加者端末５に送信する。ネットワークサービスシステム１は、目的地として利用終了を示すパスゲート３−２を指定してもよい。
【００５１】
図７は、本発明のコンセプトを実現するシステムの全体図を説明するブロック図である。
【００５２】
同図において、参加者２が通過したことを検知するパスゲート３と、ネットワークサービスシステムサーバ８からネットワーク９を介して取得した情報を参加者２に伝達する参加者端末５と、イベント情報ＤＢ４を有するネットワークサービスシステムサーバ８と、必要に応じて参加者２が課題に対する回答を入力する目的地端末１０とから本発明のシステムは構成されている。ネットワークサービスシステムサーバ８とは別に、イベント作成者用の端末１１があってもよい。この場合、ネットワークサービスシステムサーバ８はイベント作成ツールの提供およびイベント運営の役割を果たす。
【００５３】
図８は、本発明の実施形態におけるネットワークサービスシステムサーバのハードブロック図である。
【００５４】
同図において、サーバ操作者１３とはネットワークサービスシステムサーバ８の操作者で、サーバの管理（運営、監視、維持などを含む）者のことである。ＨＭ（ヒューマンマシン）入出力部１４とは、ネットワークサービスシステムサーバ８がサーバ操作者１３と種々のやりとりをするための入出力機能を持つ部位である。入力装置としては、例えばキーボード、テンキー、マウス、バーコードリーダなどが該当し、サーバ操作者１３の入力がシステムに対して情報を伝達するものなら、その種類は問わない。
【００５５】
また出力装置としては、例えばディスプレイ、プリンタなどが該当し、サーバ操作者１３に対してシステムから情報を伝達できるものなら、その種類は問わない。演算部１５とは、プログラムを実行することによって各機能を駆動、処理するための演算機能を持つ部位であり、一般にＣＰＵ（中央演算装置）で構成される。メモリ部１６とは、演算部１５が実行するプログラムの実行エリアの部位である。通信部１７とは、ネットワーク９を介した外部との通信を制御する部位である。ネットワーク認証部１８とは、ネットワークや外部機器との認証機能を持つ部位である。
【００５６】
ＤＢ管理部１９とは、様々なデータ構造とデータ実体を管理する機能を持つ部位である。ＤＢ管理部１９に管理される処理プログラム２０とは、ネットワークサービスシステムサーバ８の利用目的を達成するために必要なプログラムのことであり、ＯＳ（オペレーションシステム）もここに含まれる。同様にイベント情報ＤＢ４とは、あらかじめネットワークサービスシステムサーバ８が有するイベント情報を記憶するデータベースのことである。
【００５７】
なお、イベント情報ＤＢ４に記憶される内容は外部のイベント作成者端末１１から新たなイベント情報が追加更新されてもよい。同様に配信情報ＤＢ２１とは、参加者端末５に配信した情報の履歴を記憶するデータベースである。同様にその他のプログラム・データ２２とは、上記以外の例えばサーバ操作者１３が使用するワードプロセッサや表計算プログラムなどのアプリケーションソフトウェアやそれらに付随するデータなどが該当する。
【００５８】
図９は、本発明の実施形態におけるパスゲートのハードブロック図である。
同図において、参加者検知媒体２３とは、パスゲート３が参加者２を検知するために用いる媒体であり、詳細については後述する。検知部２４とは、参加者２もしくは参加者検知媒体２３を検知する機能を持つ部位である。送信部２７とは、ネットワークサービスシステムサーバ８に検知した情報を送信する機能を持つ部位である。
【００５９】
図１０は、本発明の実施形態における参加者の有する参加者端末のハードブロック図である。
【００６０】
同図において、ＨＭ（ヒューマンマシン）入出力部２８とは、参加者端末５が参加者２と種々のやりとりをするための入出力機能を持つ部位であり、送受信部３１とは、ネットワーク９を介してネットワークサービスシステムサーバ８と情報の送受信を行う機能を持つ部位である。
【００６１】
図１１は、本発明の実施形態における目的地端末のハードブロック図である。同図において、ＨＭ（ヒューマンマシン）入出力部３２とは、目的地端末１０が参加者２と種々のやりとりをするための入出力機能を持つ部位である。
【００６２】
図１２は、本発明の実施形態におけるイベント作成者端末のハードブロック図である。
【００６３】
同図において、ＨＭ（ヒューマンマシン）入出力部３６とは、イベント作成者端末１１がイベント作成者１２と種々のやりとりをするための入出力機能を持つ部位である。
【００６４】
図１３は、本発明の実施形態におけるパスゲート、ネットワークサービスシステムサーバ、及び参加者端末の機能ブロック図である。
【００６５】
同図は、図１に示すブロック図に対応する。同図において、人とシステムの接点となるパスゲート３は、参加者２もしくは参加者検知媒体２１に基づいて参加者２を検知する機能、及びその検知結果をネットワークサービスシステムサーバ８に送信する機能を有する。ネットワークサービスシステムサーバ８は、検知結果をパスゲート３から受信する機能と、検知した参加者２に対するイベント情報をイベント情報ＤＢ４から取得する機能と、取得したイベント情報を参加者端末５に送信する機能、及び送信した情報を配信情報ＤＢ１９に記憶する機能と有する。参加者端末５は、ネットワークサービスシステムサーバ８からイベント情報を受信する機能、及び受信した情報をＨＭ出力部に出力する機能を有する。
【００６６】
図１４は、本発明の実施形態におけるパスゲート、ネットワークサービスシステムサーバ、及び参加者端末の演算部のフローチャートである。
【００６７】
同図は、図１３に示す機能ブロック図に対応する。同図において、パスゲート３は、参加者２を検知すると（ＳＴ１４０１）、検知した情報をネットワークサービスシステムサーバ８に送信して（ＳＴ１４０２）、処理を終了する。ネットワークサービスシステムサーバ８は、パスゲート３から検知情報を受信すると、検知した参加者２に対するイベント情報をイベント情報ＤＢ４から取得し（ＳＴ１４０３）、取得したイベント情報を参加者端末５に送信し（ＳＴ１４０４）、送信した情報を配信情報ＤＢ１９に記憶して（ＳＴ１４０５）、処理を終了する。参加者端末５は、ネットワークサービスシステムサーバ８からイベント情報を受信すると、受信したイベント情報をＨＭ出力部へ出力して（ＳＴ１４０６）、処理を終了する。
【００６８】
図１５は、本発明の実施形態におけるネットワークサービスシステムサーバの機能ブロック図である。
【００６９】
同図は、図２に示すブロック図に対応する。同図において、ネットワークサービスシステムサーバ８は、参加者端末５または目的地端末１１から課題に対する回答を受信する機能と、配信したイベント情報を配信情報ＤＢ１９より読み込む機能と、配信した情報を参照して正解不正解を判定する機能と、判定結果を回答の送信元に返信する機能、及び返信した情報を配信情報ＤＢ１９に記憶する機能を有する。
【００７０】
図１６は、本発明の実施形態におけるネットワークサービスシステムサーバの演算部のフローチャートである。
【００７１】
同図は、図１４に示す機能ブロック図に対応する。同図において、ネットワークサービスシステムサーバ８は、課題に関する回答を受信すると（ＳＴ１６０１）、受信した参加者２に関して配信した情報を配信情報ＤＢ１９より取得し（ＳＴ１６０２）、配信した情報を参照して正解不正解を判定し（ＳＴ１６０３）、判定結果を送信元に返信し（ＳＴ１６０４）、返信した情報を配信情報ＤＢ１９に記憶して（ＳＴ１６０５）、処理を終了する。図３または図４に示すように例えばパスワードなどの課題のクリアを示す情報を受信した場合には、ＳＴ１６０３において配信した情報を参照してパスワードを判定する。
【００７２】
図１７は、本発明の実施形態におけるネットワークサービスシステムサーバの機能ブロック図である。
【００７３】
同図は、図２に示すブロック図に対応し、さらに例えば、図４５に示すイベントシナリオマップの課題００３のように参加者２の対応によって次の課題が別れる場合（課題シナリオに分岐がある場合）である。同図において、ネットワークサービスシステムサーバ８は、参加者端末５または目的地端末１１から課題に対する回答を受信する機能と、配信したイベント情報を配信情報ＤＢ１９より読み込む機能と、配信した情報を参照して正解不正解を判定する機能と、判定結果に基づいて新たなイベント情報をイベント情報ＤＢ４から読み込む機能と、判定結果に読み込んだ情報を付与して参加者端末５に配信する機能、及び配信した情報を配信情報ＤＢ１９に記憶する機能を有する。
【００７４】
図１８は、本発明の実施形態におけるネットワークサービスシステムサーバの演算部のフローチャートである。
【００７５】
同図は、図１７に示す機能ブロック図に対応する。同図において、ネットワークサービスシステムサーバ８は、課題に関する回答を受信すると（ＳＴ１８０１）、受信した参加者２に関して配信した情報を配信情報ＤＢ１９より取得し（ＳＴ１８０２）、配信した情報を参照して正解不正解を判定し（ＳＴ１８０３）、判定結果に基づいて新たなイベント情報をイベント情報ＤＢ４より読み込み（ＳＴ１８０４）、判定結果に読み込んだ情報を付与して参加者端末５に返信し（ＳＴ１８０５）、返信した情報を配信情報ＤＢ１９に記憶して（ＳＴ１６０５）、処理を終了する。ＳＴ１８０４で読み込んだ情報が特に無かった場合には、ＳＴ１８０５で付与する情報は無くともよい。
【００７６】
図１９は、本発明の実施形態におけるネットワークサービスシステムサーバの機能ブロック図である。
【００７７】
同図は、図３および図４に示すブロック図に対応する。同図において、ネットワークサービスシステムサーバ８は、イベント準備開始もしくはイベント開始の指示を受信する機能と、受信した指示に関するイベント情報をイベント情報ＤＢ４より読み込む機能と、読み込んだイベント情報を協力者端末に配信する機能と、読み込んだイベント情報を記録媒体として出力する機能、及び配信または出力した情報を配信情報ＤＢ１９に記憶する機能を有する。
【００７８】
図２０は、本発明の実施形態におけるネットワークサービスシステムサーバの演算部のフローチャートである。
【００７９】
同図は、図１９に示す機能ブロック図に対応する。同図において、ネットワークサービスシステムサーバ８は、イベント準備開始もしくはイベント開始の指示を受信すると（ＳＴ２００１）、受信した指示に関するイベント情報をイベント情報ＤＢ４より取得し（ＳＴ２００２）、イベント協力者７を必要とするか否かを判定する（ＳＴ２００３）。
【００８０】
イベント協力者７が必要でない場合にはそのまま処理を終了し、必要な場合にはイベント協力者７はネットワークサービスシステムサーバ８からの情報を受信するための端末を有するか否かを判定し（ＳＴ２００４）、有する場合には取得したイベント情報をその端末に配信し（ＳＴ２００５）、無かった場合には取得したイベント情報を記録媒体として出力し（ＳＴ２００６）、サーバ操作者１３に向けた記録媒体の送付指示をＨＭ出力部へ出力し（ＳＴ２００７）、返信もしくは出力した情報を配信情報ＤＢ１９に記憶して（ＳＴ２００８）、処理を終了する。
【００８１】
ネットワークサービスシステムサーバ８は、ＳＴ２００２において、取得したイベント情報の内容によって協力者７の要・不要が判断できる。また、ネットワークサービスシステムサーバ８は同様に取得したイベント情報の内容によって、イベント協力者７が端末を持つか否かも同時にわかるため、持っていない場合には課題に対する正解情報と課題のクリアを示す情報（例えばパスワードなど）を出力する処理を実行する。
【００８２】
図５に対応する機能ブロック図およびフローチャートは図１３および図１４とそれぞれ同様であるので省略する。
【００８３】
図２１、２２は、本発明の実施形態におけるパスゲート、ネットワークサービスシステムサーバ、及び参加者端末の演算部のフローチャートである。
【００８４】
同図は、図６に示すブロックに対応し、さらに図１３に示す機能ブロック図に対応する。同図において、移動手段の利用開始を示すパスゲート３−１は、参加者２を検知すると（ＳＴ２１０１）、検知した情報をネットワークサービスシステムサーバ８に送信して（ＳＴ２１０２）、処理を終了する。
【００８５】
ネットワークサービスシステムサーバ８は、パスゲート３−１から検知情報を受信すると、検知した参加者２に対するイベント情報のうち、目的地に関する情報をイベント情報ＤＢ４から取得し（ＳＴ２１０３）、取得した目的地に関する情報を参加者端末５に送信し（ＳＴ２１０４）、送信した情報を配信情報ＤＢ１９に記憶する（ＳＴ２１０５）。参加者端末５は、ネットワークサービスシステムサーバ８からイベント情報を受信すると、受信したイベント情報をＨＭ出力部へ出力する（ＳＴ２１０６）。
【００８６】
さらに、移動手段の利用終了を示すパスゲート３−２は、参加者２を検知すると（ＳＴ２２０１）、検知した情報をネットワークサービスシステムサーバ８に送信して（ＳＴ２２０２）、処理を終了する。ネットワークサービスシステムサーバ８は、パスゲート３−２から検知情報を受信すると、検知した参加者２に対するイベント情報のうち、ＳＴ２１０４で送信した目的地に対応した課題に関する情報をイベント情報ＤＢ４から取得し（ＳＴ２２０３）、取得した課題に関する情報を参加者端末５に送信し（ＳＴ２２０４）、送信した情報を配信情報ＤＢ１９に記憶して（ＳＴ２２０５）、処理を終了する。
【００８７】
参加者端末５は、ネットワークサービスシステムサーバ８からイベント情報を受信すると、受信したイベント情報をＨＭ出力部へ出力して（ＳＴ２２０６）、処理を終了する。
【００８８】
図２３は、本発明の実施形態におけるネットワークサービスシステムサーバの機能ブロック図である。
【００８９】
同図は、イベント作成者端末１１がネットワークサービスシステムサーバ８の外部に存在する場合に対応する。同図において、ネットワークサービスシステムサーバ８は、イベント作成者端末１１からイベント作成に関するプログラムおよび情報の要求を受信する機能と、受信した要求に関するイベント作成に必要なイベント情報をイベント情報ＤＢ４より読み込む機能と、読み込んだイベント情報をダウンロードプログラムおよびダウンロードデータとしてイベント作成者端末１１に配信する機能、及び配信した情報を配信情報ＤＢ１９に記憶する機能を有する。
【００９０】
図２４は、本発明の実施形態におけるネットワークサービスシステムサーバの機能ブロック図である。
【００９１】
同図は、図２３と同様にイベント作成者端末１１がネットワークサービスシステムサーバ８の外部に存在する場合に対応する。同図において、ネットワークサービスシステムサーバ８は、イベント作成者端末１１で作成したイベント作成情報を受信する機能、及び受信したイベント作成情報をイベント情報ＤＢ４に記憶する機能を有する。
【００９２】
図２５は、図２３におけるダウンロード情報と図２４におけるイベント作成情報の具体例を示す図である。
【００９３】
同図において、ダウンロード情報は、ネットワークサービスシステムサーバ８に接続されるパスゲートに関して、その場所とともに記されるパスゲートマップと、イベント作成者１２がイベントのシナリオを作りやすいように提供されるシナリオテンプレートと、同様に参加者端末５のネットワーク９上における送信先を示す参加者端末アドレスのテンプレートで構成されている。イベント作成情報は、シナリオテンプレートを用いてイベント作成者１２が作成したイベントのシナリオ情報と、参加者端末アドレステンプレートを用いてイベント作成者１２が作成した参加者端末アドレス情報で構成されている。
【００９４】
なお、イベント参加者２を後から募る場合には、イベント作成情報における参加者端末アドレス情報は不要となる。
【００９５】
図２６は、本発明の実施形態におけるネットワークサービスシステムサーバの演算部のフローチャートである。
【００９６】
同図は、図２３に示す機能ブロック図に対応する。同図において、ネットワークサービスシステムサーバ８は、イベント作成者端末１１からイベント作成に関するプログラムおよび情報の要求を受信すると（ＳＴ２６０１）、受信した要求に関するイベント作成に必要なイベント情報をイベント情報ＤＢ４より取得し（ＳＴ２６０２）、取得したイベント情報をダウンロードプログラムおよびダウンロードデータとしてイベント作成者端末１１へ送信し（ＳＴ２６０３）、送信した情報を配信情報ＤＢ１９に記憶して（ＳＴ２６０４）、処理を終了する。
【００９７】
図２７は、本発明の実施形態におけるネットワークサービスシステムサーバの演算部のフローチャートである。
【００９８】
同図は、図２４に示す機能ブロック図に対応する。同図において、ネットワークサービスシステムサーバ８は、イベント作成者端末１１で作成したイベント作成情報を受信すると（ＳＴ２７０１）、受信したイベント作成情報をイベント情報ＤＢ４に記憶して（ＳＴ２７０２）、処理を終了する。
【００９９】
図２８は、本発明の実施形態における情報配信の具体例を説明するブロック図である。
【０１００】
同図において、パスゲート３は、あらかじめ読取媒体作成装置４０によって作成された参加者端末アドレス読取媒体２１−１によって、参加者２の通過と共に情報配信先となる参加者端末５のアドレスを取得することが出来る。パスゲート３が取得した情報はネットワークサービスシステムサーバ８に送信される。参加者端末アドレス読取媒体２１−１は、ネットワークサービスシステムサーバ８にとって参加者２の有する利用者端末５のネットワーク通信におけるアドレスを取得するための媒体であるが、同時にどの参加者２がどのパスゲート３と接触したかを知ることが出来るので、参加者検知媒体２１と見なすことが出来る。
【０１０１】
図２９は、図２８における読取媒体作成装置を用いた参加者端末アドレス読取媒体の発行方法の具体例を説明するブロック図である。
【０１０２】
同図において、参加者２は自らの持つ参加者端末５を直接、読取媒体作成装置４０に接続してそのアドレス情報５−１をダウンロードするか、自らそのアドレス情報を確認して読取媒体作成装置４０に入力する。アドレス情報５−１を取得した読取媒体作成装置４０は種々の記憶方式の中から適した方法を用いて、参加者端末アドレス読取媒体２１−１を作成し、出力する。
【０１０３】
ここで言うところの種々の記憶方式によって作成される記憶媒体とは、例えば磁性体記憶媒体、ＩＣ（集積回路）記憶媒体、及び１次元や２次元のバーコードなどのことを示す。
【０１０４】
図３０は、図２９とは別の場合の、ネットワークを介して利用者端末アドレス読取媒体の発行方法の具体例を説明するブロック図である。
【０１０５】
同図において、参加者２は自らの持つ参加者端末５のアドレス情報５−１を自ら確認し、ネットワーク９−３を介してネットワークサービスシステムサーバ８に接続されるネットワーク端末４１に入力する。アドレス情報５−１を取得したネットワークサービスシステムサーバ８は種々の記憶方式の中から適して方法を用いて、参加者端末アドレス読取媒体２１−１を作成し、人手による送付を用いて参加者２の元に届けるか、参加者端末アドレス読取媒体情報２１−２をネットワーク端末４１にダウンロードして、ネットワーク端末４１から出力する。
【０１０６】
図３１は、図３０とはさらに別の場合の、ネットワークを介して利用者端末アドレス読取媒体の発行方法の具体例を説明するブロック図である。
【０１０７】
同図において、図３０に示すようなネットワーク端末４１を用いず、参加者２は参加者端末５を用いてネットワークサービスシステムサーバ８に参加者端末認証情報のダウンロードを要求して、参加者端末５で受信する。こうすることで図２８における参加者端末アドレス読取媒体２１−１の役割を参加者端末５で代用することが出来る。言い換えれば参加者端末５でサーバにアクセスする際の初期設定を済ませたことになる。
【０１０８】
図３２は、本発明の実施形態におけるパスゲートの具体例を説明する図である。
【０１０９】
同図において、パスゲート３−３は建物などの建造物の壁面に設置されており、参加者２が参加者端末アドレス読取媒体２１−１をパスゲート３−３の媒体読取部に通す。
【０１１０】
図３３は、本発明の実施形態におけるパスゲートの具体例を説明する図である。
【０１１１】
同図において、非接触で媒体を読み取る媒体読取装置を本発明におけるパスゲート３に活用する。パスゲート３−４の設置場所は図３２と同様に建造物の壁面や、移動体などの壁面に設置される。
【０１１２】
図３４は、本発明の実施形態におけるパスゲートの具体例を説明する図である。
【０１１３】
同図において、移動体や施設の床上面に設置された媒体読取装置を本発明のパスゲート３に活用する。参加者２が必然的に踏む場所にマット形状のパスゲート３−５は設置し、読取媒体は参加者２の靴、靴の中、または足首に巻きつけるバンド形状物などに設置するとよい。また、同様に移動体や施設のステップ上面に設置された媒体読取装置を本発明のパスゲート３−６として活用してもよい。
【０１１４】
図３５は、本発明の実施形態におけるパスゲートの具体例を説明する図である。
【０１１５】
同図において、自動改札によって駅構内が構成される、例えば電車などの公共交通機関において、その自動改札を本発明におけるパスゲート３に活用する。この場合、参加者２が公共交通機関を利用開始した移動体の乗車駅に設置された自動改札３−１が、図６に示す移動手段の利用開始を示すパスゲート３−１となる。同様に、降車駅に設置された自動改札３−２が、図６に示す移動手段の利用終了を示すパスゲート３−２となる。
【０１１６】
図３６は、本発明の実施形態におけるパスゲートの具体例を説明する図である。
【０１１７】
同図において、図３５に示すような駅構内を持たない公共交通機関では、例えば停留所に停車中で乗降車口が開いている移動車両（移動手段）の乗降車口を本発明におけるパスゲート３と見なすとよい。この場合、パスゲート３は移動体とともに移動することとなるが、図例のように停留所などの公共機関の利用者が乗り降りするときだけパスゲートの役割を果たすと考えている。
【０１１８】
つまり、乗車時の車両が乗車した停留所という場所におけるパスゲート３（図６に示す移動手段の利用開始を示すパスゲート３−１）となり、降車時の車両が降車した停留所という場所におけるパスゲート３（図６に示す移動手段の利用終了を示すパスゲート３−２）となる。
【０１１９】
図３７は、本発明の実施形態におけるパスゲートの具体例を説明する図である。
【０１２０】
同図において、参加者２自ら運転もしくは同乗する移動手段の場合には、その移動手段を駐車する駐車場などに設置された退出管理ゲートを本発明におけるパスゲート３と見なすとよい。この場合、図例に示す入退出管理ゲート着き駐車場への入場許可ゲート３−２が、図６に示す移動手段の利用終了を示すパスゲート３−２となる。同様に退出許可ゲート３−１が、図６に示す移動手段の利用開始を示すパスゲート３−１となる。この場合、移動手段（車両）に搭載される車載装置を参加者端末５としてもよい。
【０１２１】
図３８は、本発明の実施形態におけるパスゲートの具体例を説明する図である。
【０１２２】
同図は、あらかじめ配置された情報タグからの情報を参加者端末５に受信して、参加者端末５の有する通信機能を用いてネットワークサービスシステムサーバ８に情報タグの情報を送信すると、参加者端末５が本発明におけるパスゲート３と見なすことができる場合である。同図において、場所に関する位置情報をあらかじめ記憶し、その位置情報を特定の範囲に発信する位置情報タグ４２から発信される位置情報を参加者端末５は受信し、ネットワークサービスシステムサーバ８に受信した位置情報を送信する。
【０１２３】
さらに、参加者端末５から位置情報を受信したネットワークサービスシステムサーバ８はイベント情報を参加者端末５に返信する。この場合、位置情報タグと参加者端末５の組み合わせで、例えば図３２〜図３７に示すパスゲートと等価の機能を有することになり、本発明におけるパスゲート３−６になる。ここで言うところのパスゲート３の機能とは、参加者２の通過場所を検知する機能と、その検知情報と参加者端末５のアドレス情報をネットワークサービスシステムサーバ８に通知する機能のことである。
【０１２４】
図３９は、図３８における参加者端末の機能ブロック図である。
【０１２５】
同図において、参加者端末５は、位置情報タグ４２から位置情報を受信する機能と、受信情報をネットワークサービスシステムサーバ８に送信する機能と、（ネットワークサービスシステムサーバ８がその情報を受信した情報に基づく処理を実行して）ネットワークサービスシステムサーバ８からその処理結果を受信する機能、及び受信した情報をＨＭ出力部に出力する機能を有する。
【０１２６】
図４０は、本発明の実施形態における参加者端末、及びネットワークサービスシステムサーバの演算部のフローチャートである。
【０１２７】
同図は、図３９に示す機能ブロック図に対応する。同図において、参加者端末５は、位置情報を受信すると（ＳＴ４００１）、受信した情報をネットワークサービスシステムサーバ８に送信する（ＳＴ４００２）。ネットワークサービスシステムサーバ８は、参加者端末５から情報を受信すると、受信した情報に基づく処理を実行し（ＳＴ４００３）、処理結果に基づく情報を参加者端末５に送信して（ＳＴ４００４）、処理を終了する。参加者端末５は、ネットワークサービスシステムサーバ８から情報を受信すると、受信した情報をＨＭ出力部に出力して（ＳＴ４００５）、処理を終了する。
【０１２８】
図４１は、図３８における位置情報タグの設置場所に関する具体例を示す図である。
【０１２９】
同図において、移動体の乗降車口に設置され、乗降車口が開いている間にだけ位置情報を発信する位置情報タグ４２−１と、簡易的な枠組みに設置される位置情報タグ４２−２と、天井面に設置されて下方（床面方向）の特定エリアに対して位置情報を発信する位置情報タグ４２−３とを具体例として示す。
【０１３０】
図４２は、図２５におけるパスゲートマップの具体例を示す図である。
【０１３１】
同図において、商店街にあらかじめ配置されているパスゲート３と目的地端末１０が商店街の店舗マップに記されており、図例では矢印アイコンでパスゲート３を示すとパスゲート３に関する詳細情報が表示されている。イベント作成手順としては、例えばイベント作成者端末１１においてネットワークサービスシステムサーバ８からダウンロードされたパスゲートマップを開き、マップ上のパスゲート３を指定し、課題と正解の情報を入力する。なお、目的地先のイベント協力者７が必要な場合には、課題を入力する際に指定してもよい。
【０１３２】
図４３は、図２５におけるパスゲートマップの具体例を示す図である。
【０１３３】
同図において、ショッピングモール内にあらかじめ配置されているパスゲート３と目的地端末１０がショッピングモールの構内マップに記されている。
【０１３４】
図４４は、図２５におけるパスゲートマップの具体例を示す図である。
【０１３５】
同図において、公共交通機関でネットワークサービスシステムサーバ８に接続された自動改札があらかじめ設置されている駅がパスゲートマップ上に、公共交通機関の沿線マップの形状で記されている。駅周辺の商店街やコンビニなどに設置されているパスゲート３や目的地端末１０が同時に表示されたり、別マップとしてリンクされていてもよい。
【０１３６】
図４５は、本発明の実施形態におけるシナリオ情報の具体例を示す図である。
【０１３７】
同図において、イベント作成者１２がイベント作成者端末１１上で作成中のイベントシナリオマップを事例として示す。
【０１３８】
図４６は、図２５におけるシナリオテンプレートの具体例を示す図である。
【０１３９】
同図において、イベント作成者端末１１上でシナリオ作成手順を簡易的にするために、手順の導きをウインドウ上に展開している事例である。
【０１４０】
図４７は、図２５における参加者端末アドレステンプレートの具体例を示す図である。
【０１４１】
同図において、参加者端末５のアドレスはサーバで管理しやすいようにエントリナンバで整理されている。属性情報をアドレス情報と同時に取得しておいてもよい。このアドレス情報にはどのイベントシナリオのどの課題までクリアしたかなどのイベント運営上の参加者２の管理に使用される。
【０１４２】
図４８は、本発明の実施形態における参加者端末に配信されるイベント情報の具体的な表示例を示す図である。
【０１４３】
同図は、図１、図５および図６に示すブロック図に対応する。同図において、（ａ）は目的地と課題が同時に配信される図１または図５に対応する場合である。（ｂ）では目的地のみが配信され、（ｃ）ではその目的地に対応した課題が配信される図６に対応する場合である。
【０１４４】
図４９は、本発明の実施形態における参加者端末に配信されるイベント情報の具体的な表示例を示す図である。
【０１４５】
同図において、ショッピングモール内のイベントを図例にしており、（ａ）は移動しない課題を、（ｂ）は移動する課題を示す。移動する課題とは、課題の対象物が決まった場所に留まらない場合である。
【０１４６】
図５０は、イベントエリアを指定した場合のアプリケーション例を示す図である。
【０１４７】
同図は、例えば図４３や図４９に示すショッピングモール内をイベントエリアにしている場合である。同図において、イベントエリア外に参加者２が出た状態（もしくは出ようとしている状態）をパスゲート３の通過によって検知したネットワークサービスシステムサーバ８は参加者２や参加者２に関係する関係者４３の有する端末へお知らせ情報を送信する。
【０１４８】
図５１は、本発明の実施形態における参加者端末に配信されるイベント情報の具体的な表示例を示す図である。
【０１４９】
同図において、（ａ）は図５０に対応した参加者２向けの表示例であり、同様に（ｂ）は関係者４３向けの表示である。また、パスゲート３の通過を関係者４３に逐次連絡するようにしてもよく、また関係者４３からの要望があった場合に連絡するようにしてもよい。
【０１５０】
ここで言うところの関係者４３とは、例えばイベント参加している子供の親である。例えば、子供はなかなかおとなしくしていることが出来ないので親として心配が絶えないが、子供の面倒ばかりみているわけにはいかない場合に、例えばショッピングモール側が提供する付加価値に本発明が提供するパスゲート３を活用したイベントが有効となる。また、このようなイベントエリアは例えばテーマパークのような屋外を含む領域に適用してもよい。
【０１５１】
図５２は、本発明の実施形態における参加者端末に配信されるイベント情報の具体的な表示例を示す図である。
【０１５２】
同図は、図４に示す協力者７が判定する課題に対応する。同図において、課題の実行を見届けて参加者２に課題のクリアを示す情報（図例ではパスワード）を与えるイベント協力者７が店長である。
【０１５３】
図５３は、本発明の実施形態における参加者端末に配信されるイベント情報の具体的な表示例を示す図である。
【０１５４】
同図において、（ａ）は目的地にパスゲート３を指定する場合、（ｂ）は目的地に通路を指定する場合、（ｃ）は目的地に設備を指定する場合をそれぞれ示す。例えば展示会やイベント会場およびテーマパークなどで人を誘導したりする場合に有効である。
【０１５５】
図５４は、本発明の実施形態における参加者端末に配信されるイベント情報の具体的な表示例を示す図である。
【０１５６】
同図は、図３７に示す移動体に参加者２自らが運転もしくは同乗する車を用いて、参加者端末５が車載装置である場合に対応する。
【０１５７】
【発明の効果】
以上記載の本発明によれば、人とシステムとの接点であるパスゲートを起点とするイベント提供方法とすることによって、これまでにも存在した何気ない空間や場所をそのままイベント提供エリアにすることが出来る。
【０１５８】
さらに、公共交通機関の持つパスゲートを活用すれば、公共交通機関が参加者の移動手段として活用できるだけでなく、その沿線地域をそのままイベント提供エリアにすることが出来る。
【０１５９】
また、目的地先におけるイベント協力者に参加者がこなす課題クリアの判定する役割を与えることによって、地域社会とのコミュニケーションを促進できる効果も期待できる。
【０１６０】
さらに、イベント提供するエリアを定めて、参加者がエリア外に出た、または出ようとしていることを参加者端末および関係者端末に通知することによって、このイベント提供エリアが関係者の目が届いて、かつ参加者が自由にイベントを楽しめる場所とすることが出来る。
【図面の簡単な説明】
【図１】本発明のコンセプトを説明するブロック図
【図２】本発明のコンセプトを説明するブロック図
【図３】本発明のコンセプトを説明するブロック図
【図４】本発明のコンセプトを説明するブロック図
【図５】本発明のコンセプトを説明するブロック図
【図６】本発明のコンセプトを説明するブロック図
【図７】本発明のコンセプトを実現するシステムの全体図を説明するブロック図
【図８】本発明の実施形態におけるネットワークサービスシステムサーバのハードブロック図
【図９】本発明の実施形態におけるパスゲートのハードブロック図
【図１０】本発明の実施形態における参加者の有する参加者端末のハードブロック図
【図１１】本発明の実施形態における目的地端末のハードブロック図
【図１２】本発明の実施形態におけるイベント作成者端末のハードブロック図
【図１３】本発明の実施形態におけるパスゲート、ネットワークサービスシステムサーバ、及び参加者端末の機能ブロック図
【図１４】本発明の実施形態におけるパスゲート、ネットワークサービスシステムサーバ、及び参加者端末の演算部のフローチャート
【図１５】本発明の実施形態におけるネットワークサービスシステムサーバの機能ブロック図
【図１６】本発明の実施形態におけるネットワークサービスシステムサーバの演算部のフローチャート
【図１７】本発明の実施形態におけるネットワークサービスシステムサーバの機能ブロック図
【図１８】本発明の実施形態におけるネットワークサービスシステムサーバの演算部のフローチャート
【図１９】本発明の実施形態におけるネットワークサービスシステムサーバの機能ブロック図
【図２０】本発明の実施形態におけるネットワークサービスシステムサーバの演算部のフローチャート
【図２１】本発明の実施形態におけるパスゲート、ネットワークサービスシステムサーバ、及び参加者端末の演算部のフローチャート
【図２２】本発明の実施形態におけるパスゲート、ネットワークサービスシステムサーバ、及び参加者端末の演算部のフローチャート
【図２３】本発明の実施形態におけるネットワークサービスシステムサーバの機能ブロック図
【図２４】本発明の実施形態におけるネットワークサービスシステムサーバの機能ブロック図
【図２５】図２３におけるダウンロード情報と図２４におけるイベント作成情報の具体例を示す図
【図２６】本発明の実施形態におけるネットワークサービスシステムサーバの演算部のフローチャート
【図２７】本発明の実施形態におけるネットワークサービスシステムサーバの演算部のフローチャート
【図２８】本発明の実施形態における情報配信の具体例を説明するブロック図
【図２９】図２８における読取媒体作成装置を用いた参加者端末アドレス読取媒体の発行方法の具体例を説明するブロック図
【図３０】図２９とは別の場合の、ネットワークを介して利用者端末アドレス読取媒体の発行方法の具体例を説明するブロック図
【図３１】図３０とはさらに別の場合の、ネットワークを介して利用者端末アドレス読取媒体の発行方法の具体例を説明するブロック図
【図３２】本発明の実施形態におけるパスゲートの具体例を説明する図
【図３３】本発明の実施形態におけるパスゲートの具体例を説明する図
【図３４】本発明の実施形態におけるパスゲートの具体例を説明する図
【図３５】本発明の実施形態におけるパスゲートの具体例を説明する図
【図３６】本発明の実施形態におけるパスゲートの具体例を説明する図
【図３７】本発明の実施形態におけるパスゲートの具体例を説明する図
【図３８】本発明の実施形態におけるパスゲートの具体例を説明する図
【図３９】図３８における参加者端末の機能ブロック図
【図４０】本発明の実施形態における参加者端末、及びネットワークサービスシステムサーバの演算部のフローチャート
【図４１】図３８における位置情報タグの設置場所に関する具体例を示す図
【図４２】図２５におけるパスゲートマップの具体例を示す図
【図４３】図２５におけるパスゲートマップの具体例を示す図
【図４４】図２５におけるパスゲートマップの具体例を示す図
【図４５】本発明の実施形態におけるシナリオ情報の具体例を示す図
【図４６】図２５におけるシナリオテンプレートの具体例を示す図
【図４７】図２５における参加者端末アドレステンプレートの具体例を示す図
【図４８】本発明の実施形態における参加者端末に配信されるイベント情報の具体的な表示例を示す図
【図４９】本発明の実施形態における参加者端末に配信されるイベント情報の具体的な表示例を示す図
【図５０】イベントエリアを指定した場合のアプリケーション例を示す図
【図５１】本発明の実施形態における参加者端末に配信されるイベント情報の具体的な表示例を示す図
【図５２】本発明の実施形態における参加者端末に配信されるイベント情報の具体的な表示例を示す図
【図５３】本発明の実施形態における参加者端末に配信されるイベント情報の具体的な表示例を示す図
【図５４】本発明の実施形態における参加者端末に配信されるイベント情報の具体的な表示例を示す図
【符号の説明】
２　　　イベント参加者
３　　　パスゲート
３−１　移動手段の利用開始を示すパスゲート
３−２　移動手段の利用終了を示すパスゲート
４　　　イベント情報ＤＢ
５　　　参加者端末
７　　　イベント協力者
８　　　ネットワークサービスシステムサーバ
９　　　ネットワーク
【図１】
2004029858.tif 000003
【図２】
2004029858.tif 000004
【図３】
2004029858.tif 000005
【図４】
2004029858.tif 000006
【図５】
2004029858.tif 000007
【図６】
2004029858.tif 000008
【図７】
2004029858.tif 000009
【図８】
2004029858.tif 000010
【図９】
2004029858.tif 000011
【図１０】
2004029858.tif 000012
【図１１】
2004029858.tif 000013
【図１２】
2004029858.tif 000014
【図１３】
2004029858.tif 000015
【図１４】
2004029858.tif 000016
【図１５】
2004029858.tif 000017
【図１６】
2004029858.tif 000018
【図１７】
2004029858.tif 000019
【図１８】
2004029858.tif 000020
【図１９】
2004029858.tif 000021
【図２０】
2004029858.tif 000022
【図２１】
2004029858.tif 000023
【図２２】
2004029858.tif 000024
【図２３】
2004029858.tif 000025
【図２４】
2004029858.tif 000026
【図２５】
2004029858.tif 000027
【図２６】
2004029858.tif 000028
【図２７】
2004029858.tif 000029
【図２８】
2004029858.tif 000030
【図２９】
2004029858.tif 000031
【図３０】
2004029858.tif 000032
【図３１】
2004029858.tif 000033
【図３２】
2004029858.tif 000034
【図３３】
2004029858.tif 000035
【図３４】
2004029858.tif 000036
【図３５】
2004029858.tif 000037
【図３６】
2004029858.tif 000038
【図３７】
2004029858.tif 000039
【図３８】
2004029858.tif 000040
【図３９】
2004029858.tif 000041
【図４０】
2004029858.tif 000042
【図４１】
2004029858.tif 000043
【図４２】
2004029858.tif 000044
【図４３】
2004029858.tif 000045
【図４４】
2004029858.tif 000046
【図４５】
2004029858.tif 000047
【図４６】
2004029858.tif 000048
【図４７】
2004029858.tif 000049
【図４８】
2004029858.tif 000050
【図４９】
2004029858.tif 000051
【図５０】
2004029858.tif 000052
【図５１】
2004029858.tif 000053
【図５２】
2004029858.tif 000054
【図５３】
2004029858.tif 000055
【図５４】
2004029858.tif 000056
【手続補正書】
【提出日】平成15年8月28日(2003.8.28)
【手続補正１】
【補正対象書類名】図面
【補正対象項目名】図１６
【補正方法】変更
【補正の内容】
【図１６】
2004029858.tif 000057